(57)【要約】【課題】  特にずれ防止効果が得られるパッド及び該パッドを有するブラジャーを提供する。【解決手段】  ２つのパッド本体及び該各パッド本体の少なくとも１つの面にそれぞれ取り付けられるずれ防止部材を有するパッド部材を備え、前記ずれ防止部材は、表面の摩擦係数が高い軟質材料からなる。【選択図】  図１
0003133843.tif 000002
【実用新案登録請求の範囲】
【請求項１】
２つのパッド本体及び該パッド本体の少なくとも１つの面にそれぞれ取り付けられたずれ防止部材を有するパッド部材を備え、前記ずれ防止部材は表面の摩擦係数が高い軟質材料からなる、パッド。
【請求項２】
ベルト部材を有し、前記２つのパッド部材は互いに前記ベルト部材により連結された、請求項１に記載のパッド。
【請求項３】
前記ベルト部材は両端を有し、その一端が一方の前記パッド部材の前記パッド本体に接合されると共に、他端にフック部材が設けられ、他方の前記パッド部材の前記パッド本体に、前記フック部材と対応するリングが設けられた、請求項２に記載のパッド。
【請求項４】
前記ベルト部材の両端に夫々フック部材が設けられ、前記２つのパッド部材の前記パッド本体に夫々前記フック部材と対応するリングが設けられた、請求項２に記載のパッド。
【請求項５】
２つのカップと、該２つのカップに夫々連結されるベルトとを備えるブラジャーであって、
２つのパッド部材と、該２つのパッド部材を繋ぐベルト部材と、２つの位置決め部材とを有するパッドを備え、前記パッド部材は夫々パッド本体及び該パッド本体の少なくとも１つの面にそれぞれ取り付けられるずれ防止部材を有し、前記パッド本体と前記ずれ防止部材からなる前記２つのパッド部材は夫々前記カップの内側下部に設置され、また、前記各位置決め部材は２つの縁部を有し、その内一方の縁部は前記カップの周縁における前記ベルトに近い部分に接合され、他方の縁部は前記パッド部材の上縁の一部に接合された、ブラジャー。
【請求項６】
前記位置決め部材の一方の縁部は、前記カップの周縁におけるバックベルトに近い部分に縫着された、請求項５に記載のブラジャー。
【請求項７】
前記位置決め部材の一方の縁部と、前記カップの周縁における、前記位置決め部材の一方の縁部と対応する位置にそれぞれ、対応し合う面ファスナーが設けられた、請求項５に記載のブラジャー。
【請求項８】
前記位置決め部材の一方の縁部にフック部材が設けられ、前記カップの周縁に前記フック部材と対応するリングが設けられた、請求項５に記載のブラジャー。
【請求項９】
前記ベルト部材は両端を有し、その一端が一方の前記パッド部材の前記パッド本体に接合されると共に、他端にフック部材が設けられ、他方の前記パッド部材の前記パッド本体に、前記フック部材と対応するリングが設けられた、請求項５乃至８の何れか１項に記載のブラジャー。
【請求項１０】
前記ベルトの長さを調節できる請求項９に記載のブラジャー。
【請求項１１】
２つのパッド部材を備え、該パッド部材は表面の摩擦係数が高い軟質材料からなるパッド。
【請求項１２】
前記２つのパッド部材を連結するベルト部材を有する、請求項１１に記載のパッド。
【請求項１３】
２つのカップと、該２つのカップに夫々連結されるベルトとを備えるブラジャーであって、
２つのパッド部材と、該２つのパッド部材に着脱可能なベルト部材と、２つの位置決め部材とを備えるパッドを有し、前記パッド部材は夫々、表面の摩擦係数が高い軟質材料からなり、前記各位置決め部材は２つの縁部を有し、その内一方の縁部は前記カップの周縁における前記ベルトに近い部分に接合され、他方の縁部は前記パッド部材の上縁の一部に接合される、ブラジャー。
【請求項１４】
前記位置決め部材の一方の縁部は、前記カップの周縁におけるバックベルトに近い部分に縫着された、請求項１３に記載のブラジャー。
【請求項１５】
前記位置決め部材の一方の縁部と、前記カップの周縁における、前記位置決め部材の一方の縁部と対応する位置にそれぞれ、対応し合う面ファスナーが設けられた、請求項１３に記載のブラジャー。
【請求項１６】
前記位置決め部材の一方の縁部にフック部材が設けられ、前記カップの周縁に前記フック部材と対応するリングが設けられた、請求項１３に記載のブラジャー。
【請求項１７】
前記ベルト部材は両端を有し、その一端が一方の前記パッド部材の前記パッド本体に接合されると共に、他端にフック部材が設けられ、他方の前記パッド部材の前記パッド本体に前記フック部材と対応するリングが設けられた、請求項１３乃至１６の何れか１項に記載のブラジャー。
【請求項１８】
前記ベルトの長さを調節できる、請求項１７に記載のブラジャー。
【考案の詳細な説明】
【技術分野】
【０００１】
本考案は、特にずれ防止効果が得られるパッド及び該パッドを有するブラジャーに関するものである。
【背景技術】
【０００２】
図８に示すように、女性のバスト部分のプロポーションをより良くするためには、既存のブラジャー（５０）と乳房との間に２つのパッド部材（４０）からなるパッドを設置するのが一般的である。このようなパッド部材（４０）は、ブラジャー（５０）のカップ（５１）の内側下部に設置されることから、ブラジャー（５０）を着用する時には、該パッド部材（４０）によりバストが押し上げられて、バストの形状が調整されるので、より美しく見せることができる。
【考案の開示】
【考案が解決しようとする課題】
【０００３】
しかしながら、前記従来のパッド部材（４０）には如何なる位置決め構造も有しないので、使用者が体を動かした時、パッド部材（４０）が所定の位置からずれて該カップ（５１）から食み出てしまう恐れがあった。また、カップが食み出した場合、公衆の面前で直すわけにはいかないので、パッド部材（４０）がカップ（５１）から食み出した状態のままブラジャー（５０）を着用しなければならないので、女性にとっては非常に深刻な問題である。
【０００４】
そこで、案出されたのが本考案であって、パッド部材がブラジャーのカップの内側でずれて、該カップから食み出してしまうことを防止できるパッド及び該パッドを有するブラジャーを提供することを目的としている。
【課題を解決するための手段】
【０００５】
請求項１に係る考案は、２つのパッド本体及び該パッド本体の少なくとも１つの面にそれぞれ取り付けられるずれ防止部材を有するパッド部材を備え、前記ずれ防止部材は、表面の摩擦係数が高い軟質材料からなる、パッドを提供する。
【０００６】
請求項２に係る考案は、ベルト部材を有し、前記２つのパッド部材は互いに前記ベルト部材により連結された、請求項１に記載のパッドを提供する。
【０００７】
請求項３に係る考案は、前記ベルト部材は両端を有し、その一端が一方の前記パッド部材の前記パッド本体に接合されると共に、他端にフック部材が設けられ、他方の前記パッド部材の前記パッド本体に、前記フック部材と対応するリングが設けた、請求項２に記載のパッドを提供する。
【０００８】
請求項４に係る考案は、前記ベルト部材の両端に夫々フック部材が設けられ、前記２つのパッド部材の前記パッド本体に夫々前記フック部材と対応するリングが設けられた、請求項２に記載のパッドを提供する。
【０００９】
請求項５に係る考案は、２つのカップと、該２つのカップに夫々連結されるベルトとを備えるブラジャーであって、
２つのパッド部材と、該２つのパッド部材を繋ぐベルト部材と、２つの位置決め部材とを有するパッドを備え、前記パッド部材は夫々パッド本体及び該パッド本体の少なくとも１つの面にそれぞれ取り付けられるずれ防止部材を有し、前記パッド本体と前記ずれ防止部材からなる前記２つのパッド部材は夫々該カップの内側下部に設置され、また、前記各位置決め部材は、２つの縁部を有し、その内一方の縁部は前記カップの周縁におけるベルトに近い部分に接合され、他方の縁部は、前記パッド部材の上縁の一部に接合された、ブラジャーを提供する。
【００１０】
請求項６に係る考案は、前記位置決め部材の一方の縁部は、前記カップの周縁におけるバックベルトに近い部分に縫着された、請求項５に記載のブラジャーを提供する。
【００１１】
請求項７に係る考案は、前記位置決め部材の一方の縁部と、前記カップの周縁における、前記位置決め部材の一方の縁部と対応する位置にそれぞれ、対応し合う面ファスナーが設けられた、請求項５に記載のブラジャーを提供する。
【００１２】
請求項８に係る考案は、前記位置決め部材の一方の縁部にフック部材が設けられ、前記カップの周縁に前記フック部材と対応するリングが設けられた、請求項５に記載のブラジャーを提供する。
【００１３】
請求項９に係る考案は、前記ベルト部材は両端を有し、その一端が一方の前記パッド部材の前記パッド本体に接合されると共に、他端にフック部材が設けられ、他方の前記パッド部材の前記パッド本体に、前記フック部材と対応するリングが設けられた、請求項５乃至８の何れか１項に記載のブラジャーを提供する。
【００１４】
請求項１０に係る考案は、前記ベルトの長さを調節できる、請求項９に記載のブラジャーを提供する。
【００１５】
請求項１１に係る考案は、２つのパッド部材を備え、該パッド部材は、表面の摩擦係数が高い軟質材料からなる、パッドを提供する。
【００１６】
請求項１２に係る考案は、前記２つのパッド部材を連結するベルト部材を有する、請求項１１に記載のパッドを提供する。
【００１７】
請求項１３に係る考案は、２つのカップと、該２つのカップに夫々連結されるベルトとを備えるブラジャーであって、
２つのパッド部材と、該２つのパッド部材に着脱可能なベルト部材と、２つの位置決め部材とを備えるパッドを有し、前記各パッド部材は、表面の摩擦係数が高い軟質材料からなり、前記各位置決め部材は２つの縁部を有し、その内一方の縁部は前記カップの周縁におけるベルトに近い部分に接合され、他方の縁部はパッド部材の上縁の一部に接合される、ブラジャーを提供する。
【００１８】
請求項１４に係る考案は、前記位置決め部材の一方の縁部は、前記カップの周縁におけるバックベルトに近い部分に縫着される、請求項１３に記載のブラジャーを提供する。
【００１９】
請求項１５に係る考案は、前記位置決め部材の一方の縁部と、前記カップの周縁における、前記位置決め部材の一方の縁部と対応する位置にそれぞれ、対応し合う面ファスナーが設けられる、請求項１３に記載のブラジャーを提供する。
【００２０】
請求項１６に係る考案は、前記位置決め部材の一方の縁部にフック部材が設けられ、前記カップの周縁に前記フック部材と対応するリングが設けられた、請求項１３に記載のブラジャーを提供する。
【００２１】
請求項１７に係る考案は、前記ベルト部材は両端を有し、その一端が一方の前記パッド部材に接合されると共に、他端にフック部材が設けられ、他方の前記パッド部材に前記フック部材と対応するリングが設けられた、請求項１３乃至１６の何れか１項に記載のブラジャーを提供する。
【００２２】
請求項１８に係る考案は、前記ベルトの長さを調節できる、請求項１７に記載のブラジャーを提供する。
【考案の効果】
【００２３】
本考案は上記の課題を解決するものであり、パッド部材の、ブラジャーのカップの内側においてのずれや、パッド部材の、該カップからの食み出しを防止するので、使用者が体を動かしてもパッドがカップから食み出すことはない。
【００２４】
ブラジャーにおける２つのカップに設けられる２つのパッド部材の間に、２つのパッド部材を引き寄せるためのベルトが設けられることから、該パッド部材によりバストが押し上げられて、バストの形状が調整されるので、バスト部分をより美しく見せることができる。
【考案を実施するための最良の形態】
【００２５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２６】
図１は本考案に係るパッドの第１実施例を示す分解斜視図であり、図２は本考案に係るパッドの第１実施例の使用状態を示す背面図であり、図３は本考案に係るパッドの第２実施例の使用状態を示す背面図であり、図４は本考案に係るパッドの第２実施例の変形例の使用状態を示す一部背面図であり、図５は本考案に係るパッドの第３実施例を示す斜視図であり、図６は本考案に係るパッドの第３実施例の変形例を示す斜視図であり、図７は本考案に係るパッドの第３実施例における他の変形例の使用状態を示す斜視図であり、図８は従来のパッドとブラジャーを示す分解斜視図である。
【００２７】
図１に示すように、本考案に係るパッド（１）の第１実施例は、２つのパッド部材（１０）を備え、該各パッド部材（１０）は、外側及び内側を有するパッド本体（１１）と、該パッド本体（１１）の少なくとも１つの面に設けられるずれ防止部材（１２）とを有し、該ずれ防止部材（１２）は、肌に優しい、表面の摩擦係数が高い軟質材料からなる。前記表面の摩擦係数が高い軟質材料はゴム、シリカゲル或いはラテックスなどであっても良い。
【００２８】
図２に示すように、前記パッド（１）を使用する時は、ブラジャー（５０）における２つのカップ（５１）に設けて使用する。更に説明すると、該各カップ（５１）は、表面と内側を有し、該パッド（１）における２つのパッド部材（１０）は夫々ずれ防止部材（１２）がバスト側に来るように該カップ（５１）の内側下部に設置される。これにより、前記ブラジャー（５０）を着用する時、前記パッド部材（１０）のずれ防止部材（１２）が使用者のバストの下部に位置し、バストが押し上げられることから、バストの形状が調整されるので、より美しく見せることができる。又、この構成によれば、使用者が体を動かしても、表面の摩擦係数が高い該ずれ防止部材（１２）により、パッド部材（１０）がバストの下部からずれて移動することはないので、該パッド（１）におけるパッド部材（１０）が前記カップ（５１）から食み出すことはない。
【００２９】
前記２つのパッド部材（１０）は、互いに独立しているが、図３における本考案の第２実施例に示すように、そのパッド（２）が２つのパッド部材（２０）と、ベルト部材（２５）とからなり、該各パッド部材（２０）がパッド本体（２１）と、該パッド本体（２１）に設けられるずれ防止部材（２２）とを有し、該２つのパッド部材（２０）が互いに該ベルト部材（２５）により連結される。即ち、該ベルト部材（２５）の両端が夫々該２つのパッド部材（２０）のパッド本体（２１）に接合されても良く、また、該ベルト部材（２５）の一端が一方のパッド部材（２０）のパッド本体（２１）に接合され、他端にフック部材（２６）が設けられると共に、他方のパッド部材（２０）のパッド本体（２１）に該フック部材（２６）と対応するリング（２１０）が設けられ、該フック部材（２６）と該リング（２１０）とを掛合させることにより、該２つのパッド部材（２０）が互いに連結されても良い。
【００３０】
前記ベルト部材（２５）の両端に夫々リング（図示せず）が設けられると共に、前記２つのパッド部材（２０）のパッド本体（２１）に夫々該リングと対応するフック部材（図示せず）が設けられる構成であっても構わない。
【００３１】
図４に示すように、一般のブラジャー（５０）は、２つのカップ（５１）と、該２つのカップ（５１）に夫々連結されると共に、該ブラジャー（５０）を体に固定するためのベルト（５２）とを備える。
【００３２】
前記本考案の第２実施例の変形例に係るパッド（２Ａ）は、２つのパッド部材（２０Ａ）と、ベルト部材（２５Ａ）と、２つの位置決め部材（２７Ａ）とを備え、該２つのパッド部材（２０Ａ）は夫々該カップ（５１）の内側下部に設置され、該ベルト部材（２５Ａ）により連結され、さらに、該２つのパッド部材（２０Ａ）を体により快適に固定するために、該ベルト部材（２５Ａ）は長さ調節可能にされることが好ましい。
【００３３】
前記各位置決め部材（２７Ａ）は、２つの縁部を有し、その内一方の縁部は、前記カップ（５１）の周縁におけるベルト（５２）に近い部分に接合されると共に、他方の縁部は、該パッド部材（２０Ａ）の上縁の一部に接合される前記の構造によれば、前記パッド部材（２０Ａ）のずれを確実に防止するだけでなく、ベルト部材（２５Ａ）と位置決め部材（２７Ａ）により該パッド部材（２０Ａ）が引っ張られることから、、該パッド部材（２０Ａ）が乳房に更なる圧力を与えるので、バスト形状の調整効果を更に向上させることができる。
【００３４】
前記位置決め部材（２７Ａ）の一方の縁部は、該カップ（５１）の周縁におけるベルト（５２）に近い部分に直接接合されるが、該カップ（５１）の周縁に着脱自在に接合できるように、例えば該位置決め部材（２７Ａ）の一方の縁部と、該カップ（５１）の周縁に夫々、対応し合う面ファスナー（図示せず）を設け、該位置決め部材（２７Ａ）に設けられる面ファスナーと該カップ（５１）の周縁に設けられる面ファスナーとの接合により、該位置決め部材（２７Ａ）と該カップ（５１）とを着脱自在とするようにしてもよく、或いは該位置決め部材（２７Ａ）の一方の縁部にフック部材（図示せず）を設け、該カップ（５１）の周縁に、該フック部材と対応するリング（図示せず）を設けることにより、該位置決め部材（２７Ａ）と該カップ（５１）とを着脱自在とするようにしてもよい。
【００３５】
さらに、図５に示すように、本考案の第３実施例に係るパッド（３）は、表面の摩擦係数が高い柔軟材料からなる、２つのパッド部材（３０）を有し、該表面の摩擦係数が高い柔軟材料からなるパッド（３）の２つのパッド部材（３０）はそれぞれ、ブラジャー（図示せず）における２つのカップ（図示せず）の内側に設置されることから、使用者が該ブラジャーを着用したとき、該パッド部材（３０）の内側、即ちカップ側、及び外側、即ちバスト側に強い摩擦力が生じるので、該パッド部材（３０）のずれを防止することができる。
【００３６】
更に、図６に示すように、本考案の第３実施例の変形例に係るパッド（３Ａ）は、２つのパッド部材（３０Ａ）と、該２つのパッド部材（３０Ａ）を連結するベルト部材（３５Ａ）とを備える。
【００３７】
図７に示すように、本考案の第３実施例の他の変形例に係るパッド（３Ｂ）は、表面の摩擦係数が高い柔軟材料からなる、２つのパッド部材（３０Ｂ）と、該２つのパッド部材（３０Ｂ）を着脱自在に連結するベルト部材（３５Ｂ）と、２つの位置決め部材（３７Ｂ）とを備え、該ベルト部材（３５Ｂ）は、２つのパッド部材（３０Ｂ）に接合する両端を有し、該ベルト部材（３５Ｂ）の一端は、一方のパッド部材（３０Ｂ）に接合されると共に、該ベルト部材（３５Ｂ）の他端にフック部材（図示せず）が設けられ、他方のパッド部材（３０Ｂ）に該フック部材と対応するリングが設けられる。この構成によれば、該フック部材とリングとを掛合させることにより、前記２つのパッド部材（３０Ｂ）を連結させることができ、反対に、該フック部材をリングから外せば、前記２つのパッド部材（３０Ｂ）を分離させることができる。また、前記各位置決め部材（３７Ｂ）は２つの縁部を有し、一方の縁部は、ブラジャー（５０）のカップ（５１）の周縁におけるベルト（５２）に近い部分に直接縫着されると共に、他方の縁部は、パッド部材（３０Ｂ）の上縁の一部に縫着される。
【００３８】
前記位置決め部材（３７Ｂ）の一方の縁部は、該カップ（５１）の周縁におけるベルト（５２）に近い部分に接合されるが、該カップ（５１）の周縁に着脱自在に接合できるように、例えば該位置決め部材（３７Ｂ）の一方の縁部と、該カップ（５１）の周縁に夫々、対応し合う面ファスナー（図示せず）を設け、該位置決め部材（３７Ｂ）に設けられる面ファスナーと、該カップ（５１）の周縁に設けられる面ファスナーとの接合により、該位置決め部材（３７Ｂ）と該カップ（５１）とを着脱自在にしてもよく、或いは該位置決め部材（３７Ｂ）の一方の縁部にフック部材（図示せず）を設け、該カップ（５１）の周縁に、該フック部材と対応するリング（図示せず）を設けることにより、該位置決め部材（３７B）と該カップ（５１）とを着脱自在とするようにしてもよい。
【産業上の利用可能性】
【００３９】
本考案は上記の構成を有することから、パッド部材の、ブラジャーのカップの内側においてのずれや、パッド部材の、該カップからの食み出しを防止するので、使用者が体を動かしてもパッドがカップから食み出すことはない。
【００４０】
さらに、ブラジャーにおける２つのカップに設けられる２つのパッド部材の間に、２つのパッド部材を引き寄せるためのベルトが設けられることから、該パッド部材によりバストが押し上げられて、バストの形状が調整されるので、バスト部分をより美しく見せることができる。
【図面の簡単な説明】
【００４１】
【図１】本考案に係るパッドの第１実施例を示す分解斜視図である。
【図２】本考案に係るパッドの第１実施例の使用状態を示す背面図である。
【図３】本考案に係るパッドの第２実施例の使用状態を示す背面図である。
【図４】本考案に係るパッドの第２実施例の変形例の使用状態を示す一部背面図である。
【図５】本考案に係るパッドの第３実施例を示す斜視図である。
【図６】本考案に係るパッドの第３実施例の変形例を示す斜視図である。
【図７】本考案に係るパッドの第３実施例における他の変形例の使用状態を示す斜視図である。
【図８】従来のパッドとブラジャーを示す分解斜視図である。
【符号の説明】
【００４２】
１          パッド
１０        パッド部材
１１        パッド本体
１２        ずれ防止部材
２          パッド
２０        パッド部材
２０Ａ      パッド部材
２１        パッド本体
２１０      リング
２２        ずれ防止部材
２５        ベルト部材
２５Ａ      ベルト部材
２６        フック部材
２７Ａ      位置決め部材
２Ａ        パッド
３          パッド
３０        パッド部材
３０Ａ      パッド部材
３０Ｂ      パッド部材
３５Ａ      ベルト部材
３５Ｂ      ベルト部材
３７Ｂ      位置決め部材
３Ａ        パッド
３Ｂ        パッド
４０        パッド部材
５０        ブラジャー
５１        カップ
５２        ベルト
【図１】
0003133843.tif 000003
【図２】
0003133843.tif 000004
【図３】
0003133843.tif 000005
【図４】
0003133843.tif 000006
【図５】
0003133843.tif 000007
【図６】
0003133843.tif 000008
【図７】
0003133843.tif 000009
【図８】
0003133843.tif 000010